(57)【特許請求の範囲】
【請求項１】
表示手段と、前記表示手段の表示画面を照射する照明手段と、前記表示手段の画面情報を取得する画面情報取得手段と、前記画面情報取得手段が取得した前記画面情報に基づいて前記照明手段の照明輝度を制御する照明輝度制御手段を有し、前記画面情報として前記表示画面に表示されたカレントウインドウが前記表示画面全体に占める割合である面積占有率とすることを特徴とする表示装置。
【請求項２】
表示手段にデータを表示する表示手順と、前記表示手段の画面情報を取得する画面情報取得手順と、前記画面情報取得手順で取得した前記画面情報に基づいた照明輝度で前記表示手段の表示画面を照射する照明手順から成り、前記画面情報として前記表示画面に表示されたカレントウインドウが前記表示画面全体に占める割合である面積占有率とすることを特徴とする表示方法。
【発明の詳細な説明】
【０００１】
【発明の属する技術分野】
本発明は表示装置の照明輝度制御に関する。
【０００２】
【従来の技術】
近年のパソコンではマルチウィンドウシステムが主流であり、表示装置の表示画面には複数の表示領域が表示できるようになっている。
【０００３】
一方、ノートパソコンのように表示装置として液晶を使用したものも増えてきており、そのような表示装置では表示画面の視認性を高めるために表示画面を照射する照明装置を備えている。
【０００４】
このような従来の表示装置の中には、より視認性を高めるためにある表示領域が表示画面全体を占めた場合にその表示内容に応じて照明輝度を自動的に調整するものがあった。
【０００５】
【発明が解決しようとする課題】
しかしながら、上記従来の表示装置では、ある表示領域が表示画面のほぼ全体を占めるが完全には占めない場合には照明輝度が自動的に調整されないために、その表示内容によっては明る過ぎて眩しかったり暗すぎて見づらかったりする問題点があった。
【０００６】
本発明は、表示内容に応じて視覚的な違和感のない照明輝度に自動的に制御する表示装置を提供することを目的とする。
【０００７】
【課題を解決するための手段】
上記課題を解決するために本発明の表示装置は、表示手段と、表示手段の表示画面を照射する照明手段と、表示手段の画面情報を取得する画面情報取得手段と、画面情報取得手段が取得した画面情報に基づいて照明手段の照明輝度を制御する照明輝度制御手段を有することで、画面全体の表示状態に基づく照明輝度制御を行うことができる。
【０００８】
また、画面情報として表示画面に表示されたカレントウインドウが表示画面全体に占める割合である面積占有率を利用することで、面積占有率が高い場合には照明輝度を変化させ、面積占有率が低い場合には照明輝度を変化させ、面積占有率が低い場合には照明輝度を通常の値にすることができる。
【０００９】
さらに、画面情報としてある表示領域の平均輝度を利用することで表示内容に応じた照明輝度の制御ができる。
【００１０】
【発明の実施の形態】
以下に、図面を用いて本発明の実施の形態を詳細に説明する。
【００１１】
（実施の形態１）
図１は、本実施の形態に係る表示装置の構成図である。
【００１２】
１０１はデータを表示する表示手段、１０２は表示手段１０１の表示画面を照射する照明手段、１０３は表示手段１０１の表示画面の画面情報を取得する画面情報取得手段、１０４は画面情報取得手段１０３が取得した画面情報に基づき照明手段１０２の照明輝度を制御する照明輝度制御手段である。
【００１３】
なお、本実施の形態では、画面情報取得手段１０３が取得する画面情報としては表示画面に表示された複数のウィンドウのうちカレントウィンドウが表示画面全体に占める割合（以降面積占有率と称する）とする。
【００１４】
図２はカレントウィンドウの面積占有率が０％〜５９％の場合の表示画面を示す図である。
【００１５】
本実施の形態では、カレントウィンドウの面積占有率が０％〜５９％の場合の照明輝度は通常値２００カンデラ/平方メートルをとるとする。
【００１６】
図３はカレントウィンドウの面積占有率が６０％〜１００％の場合の表示画面を示す図である。
【００１７】
図３のようにカレントウィンドウの面積占有率が６０％〜１００％の場合にはカレントウィンドウ以外のウィンドウの情報は使用者にとって特に重要ではない場合が多く、カレントウィンドウでの作業としてはワープロによる文書作成やブラウザによるホームページの閲覧が主であると考えられる。これらの作業においては背景色として圧倒的に白色が多いため、照明輝度制御手段１０４が表示画面の照明輝度を１５０カンデラ／平方メートルに下げて使用者にとって見易い表示にすることで視認性を高めることができる。
【００１８】
（実施の形態２）
図４は、本実施の形態に係る表示装置の構成図である。
【００１９】
図４において各構成要素は実施の形態１に係る表示装置の各構成要素と同様のものであるが、画面情報取得手段４０３は画面情報としてカレントウィンドウの面積占有率に加えて平均輝度を取得し、照明輝度制御手段４０４はカレントウィンドウの面積占有率に加えて平均輝度に基づいて表示画面の照明輝度を制御する。
【００２０】
本実施の形態においてもカレントウィンドウの面積占有率が０％〜５９％の場合には実施の形態１と同様に照明輝度は通常値２００カンデラ／平方メートルをとるものとする。
【００２１】
図５は、カレントウィンドウの面積占有率が６０％〜１００％で平均輝度が高い（表示内容が白色系統に近い）場合の表示画面を示す図である。
【００２２】
この場合は、照明輝度制御手段４０４が表示画面の照明輝度を１５０カンデラ／平方メートルに下げて使用者にとって見易い表示にすることで視認性を高めることができる。
【００２３】
図６は、カレントウィンドウの面積占有率が６０％〜１００％で平均輝度が低い（表示内容が黒色系統に近い）場合の表示画面を示す図である。
【００２４】
この場合は、照明輝度制御手段４０４が表示画面の照明輝度を３００カンデラ／平方メートルに上げて使用者にとって見易い表示にすることで視認性を高めることができる。
【００２５】
なお、カレントウィンドウの面積占有率や輝度情報に基づく照明輝度は任意に設定しても構わない。
【００２６】
また、表示装置としては携帯情報端末（ＰＤＡ、携帯電話、ＰＨＳなど）の液晶表示パネルであっても良い。
【００２７】
【発明の効果】
上記詳述したように、本発明によれば画面情報に応じて表示画面の最適な照明輝度制御ができ、使用者の視認性を高めることができる。
また、画面情報として所定の表示領域の面積占有率を取得し、この画面情報に基づいた照明輝度で表示画面を照射することにより、面積占有率が高い場合には表示画面の照明輝度を下げ、面積占有率が低い場合には照明輝度を通常の値にすることによって、表示内容に応じて視覚的な違和感のない照明輝度に自動的に制御でき、明る過ぎて眩しかったり暗すぎて見づらかったりする問題がなくなり、使用者にとって見易い表示にすることで視認性を高めることができる。
【図面の簡単な説明】
【図１】実施の形態１に係る表示装置の構成図
【図２】実施の形態１においてカレントウィンドウの面積占有率が０％〜５９％の場合の表示画面を示す図
【図３】実施の形態１においてカレントウィンドウの面積占有率が６０％〜１００％の場合の表示画面を示す図
【図４】実施の形態２に係る表示装置の構成図
【図５】カレントウィンドウの面積占有率が６０％〜１００％で平均輝度が高い（表示内容が白色系統に近い）場合の表示画面を示す図
【図６】カレントウィンドウの面積占有率が６０％〜１００％で平均輝度が低い（表示内容が黒色系統に近い）場合の表示画面を示す図
【符号の説明】
１０１、４０１  表示手段
１０２、４０２  照明手段
１０３、４０３  画面情報取得手段
１０４、４０４  照明輝度制御手段
【図１】
0003770019.tif 000002
【図２】
0003770019.tif 000003
【図３】
0003770019.tif 000004
【図４】
0003770019.tif 000005
【図５】
0003770019.tif 000006
【図６】
0003770019.tif 000007